(57)【要約】【課題】モニタカメラの映像から、所望の被写体が撮影された画像を検索するには膨大な時間と労力を要する。【解決手段】モニタカメラ１の映像を画像処理サーバ２でＡ／Ｄ変換し、動き検出した時刻近傍の所定数の画像に、撮影時刻情報と撮影対象が所持する無線ＩＤタグ３からのＩＤ情報とを付加した画像セットを、インターネット７経由で画像蓄積サーバ８に格納し、モニタ用パソコン９で画像蓄積サーバ８にアクセスし、撮影時刻とＩＤ情報とを検索条件として所望の画像を閲覧する。【選択図】図１
2005051302.tif 000002
【特許請求の範囲】
【請求項１】
撮影画像の画像処理による動き検出によって連続的なカメラ撮影画像から切出した画像セットに撮影時刻情報を付して貯蔵手段に蓄積することを特徴とする画像蓄積方式。
【請求項２】
前記撮影時刻情報に被写体が装着したＩＤ識別手段から検出したＩＤ情報を付加して、撮影画像と被写体のＩＤ情報とを対応付けて貯蔵手段に蓄積することを特徴とする請求項１に記載の画像蓄積方式。
【請求項３】
前記撮影時刻情報とＩＤ情報とを指定して貯蔵手段に蓄積された画像セットを閲覧することを特徴とする請求項２に記載の画像蓄積方式。
【請求項４】
前記貯蔵手段がインターネットに接続された請求項１乃至請求項３のいずれかに記載の画像蓄積方式を用いたモニタリングシステムであって、前記インターネットに接続可能なモニタ手段から前記貯蔵手段に蓄積された画像セットを閲覧可能であることを特徴とするモニタリングシステム。
【請求項５】
撮影画像をＮＴＳＣ信号に変換するモニタカメラと、前記ＮＴＳＣ信号画像の動き検出を行って検出時刻近傍の所定のフレーム数の画像データとその撮影時刻情報とを合わせて画像セットとする画像処理サーバと、ＩＤ情報を記憶した無線ＩＤタグと、前記無線ＩＤタグのＩＤ情報を読み込むアンテナ及びリーダライタと、前記無線ＩＤタグ３から読み取ったＩＤ情報に該ＩＤ情報を受けた時刻の情報を付加して前記画像処理サーバ送出する管理用パソコンと、画像セットをデータベースに格納する画像蓄積サーバと、前記画像蓄積サーバに格納された画像セットをモニタするパソコンとで構成されることを特徴とする請求項４に記載のモニタリングシステム。
【発明の詳細な説明】
【０００１】
【発明の属する技術分野】
本発明は、モニタリングシステムに関し、特にモニタカメラによって撮影された映像の中から、所望の映像を効率的に素早く検索することができるモニタリングシステムに関する。
【０００２】
【従来の技術】
従来、セキュリティのためにビル等の建造物の出入り口、あるいはそれらの内部の受付あるいはオフィス出入り口などの要所に設置された監視カメラの撮影画像を蓄積して監視するモニタリングシステムや、また、例えば、幼稚園の教室等に設置されたカメラで撮影した園児の映像をネットワークでサーバへ伝送して蓄積し、園児の家族がパソコン等のモニタリング機器から前記サーバにアクセスして、リアルタイムで自宅で自分の子供の映像をモニタすることができるモニタリングサービスシステムがある。
これらのシステムは、いずれも遠隔地から現在の撮影対象（人物等）の映像あるいは過去の映像をモニタリングすることができるという特徴を有している。
【０００３】
【発明が解決しようとする課題】
しかしながら、前記セキュリティのために設けられた監視システムにおいては、監視場所で犯罪等の問題が発生したとき、蓄積された撮影映像をモニタすることによって、撮影された関係者の映像を過去に溯って見ることができる利点があるものの、例えば、監視カメラが連続撮影の場合は、１週間分を等速でモニタすれば１週間、１０倍速でモニタしても１６時間以上の膨大な時間を必要とする作業となる。
さらに、その膨大な量の映像の中から必要な関係者の映像のみを選別する場合、不必要な映像も膨大な量であって、単純で非効率的な作業となって、必要とする映像を見落としてしまう可能性があるという問題がある。この問題に対して、監視カメラの画像上で動きを検出したときのみ、あるいは赤外線センサで人の気配を検出したときのみ撮影映像をサーバに蓄積するという方式が提案されているが、人の出入りの多い場所の監視の場合は蓄積される映像量はそれほど低減されないという欠点がある。
【０００４】
また、前述の幼稚園園児のモニタリングサービスシステムにおいては、カメラ映像の中に自分の子供の姿が写っていなかったり、あるいは写っている姿をはっきりと識別できないため、モニタする家族に不満感が生まれるという問題がある。この不満は、例えば、１教室に１台のモニタカメラの場合には、カメラの撮影範囲に死角が生じたり、また、死角をなくして教室全体を撮影するようにすると園児一人一人が小さく写り同じ制服を着た子供たちの中から自分の子供を明確に識別するのは難しくなるということによって生じる。（例えば、特開２００２−２６９２０９）
このため、１教室に複数のモニタカメラを設置する方法がとられることがあるが、この場合は、教室内を自由に動き回ることの多い子供たちを撮影した複数のカメラ影像の中から自分の子供を見つけ出すのに手間がかかる。また、教室内の撮影の死角がなくなると、幼稚園の先生も必ずいずれかのカメラに写ることになり、先生によっては常に監視されているというストレスを感じるという問題もある。
【０００５】
一方、自分の子供の姿を自由に探し出せるように、モニタ機器からモニタカメラの向きを遠隔制御できるシステムもあるが、同時に複数の園児の家族が自由にモニタカメラを操作して自分の子供を中心に撮影できるようにするためには、園児数と同数のモニタカメラを必要とし、これは費用に対する効果を考えれば、非常に無駄が多いことである。
本発明は、上記課題を解決するためになされたものであって、特定の撮影対象物（人物像）を素早く探し出せるモニタリングシステムを提供することを目的とする。
【特許文献１】特開２００２−２６９２０９号公報
【０００６】
【課題を解決するための手段】
上記課題を解決するため、請求項１の画像蓄積方式においては、撮影画像の画像処理による動き検出によって連続的なカメラ撮影画像から切出した画像セットに撮影時刻情報を付して貯蔵手段に蓄積することを特徴とする。
請求項２においては、請求項１に記載の画像蓄積方式において、前記撮影時刻情報に被写体が装着したＩＤ識別手段から検出したＩＤ情報を付加して、撮影画像と被写体のＩＤ情報とを対応付けて貯蔵手段に蓄積することを特徴とする。
【０００７】
請求項３においては、請求項２に記載の画像蓄積方式において、前記撮影時刻情報とＩＤ情報とを指定して貯蔵手段に蓄積された画像セットを閲覧することを特徴とする。
請求項４においては、前記貯蔵手段がインターネットに接続された請求項１乃至請求項３のいずれかに記載の画像蓄積方式を用いたモニタリングシステムであって、前記インターネットに接続可能なモニタ手段から前記貯蔵手段に蓄積された画像セットを閲覧可能であることを特徴とする。
【０００８】
請求項５のモニタリングシステムにおいては、請求項４に記載のモニタリングシステムであって、撮影画像をＮＴＳＣ信号に変換するモニタカメラと、前記ＮＴＳＣ信号画像の動き検出を行って検出時刻近傍の所定のフレーム数の画像データとその撮影時刻情報とを合わせて画像セットとする画像処理サーバと、ＩＤ情報を記憶した無線ＩＤタグと、前記無線ＩＤタグのＩＤ情報を読み込むアンテナ及びリーダライタと、前記無線ＩＤタグ３から読み取ったＩＤ情報に該ＩＤ情報を受けた時刻の情報を付加して前記画像処理サーバ送出する管理用パソコンと、画像セットをデータベースに格納する画像蓄積サーバと、前記画像蓄積サーバに格納された画像セットをモニタするパソコンとで構成されることを特徴とする。
【０００９】
【発明の実施の形態】
以下、本発明を図面に示した実施の形態に基づいて説明する。図１は、本発明に係わるモニタリングシステムの実施の一形態例の構成を示す模式図である。同図に示すように、本モニタリングシステムは、オフィス等の出入り口を監視するモニタカメラ１と、画像処理サーバ２と、オフィス関係者が所持するバッジ状の無線ＩＤタグ３と、オフィス出入り口に設置されたアンテナ４と、リーダライタ５と、管理用パソコン６と、インターネット７と、画像蓄積サーバ８と、モニタ用パソコン９とで構成される。
【００１０】
前記各構成部位の機能は次の通りである。即ち、モニタカメラ（以下、ＣＣＤカメラという）１は、例えば３０Ｈｚのフレームレートで撮影した画像をテレビ影像用電気信号（以下、ＮＴＳＣ信号という）に変換する。
画像処理サーバ２は、前記ＣＣＤカメラより伝送されたＮＴＳＣ信号を任意のフレームレートのディジタル信号にＡＤ変換する機能と、ディジタル化された画像データのフレーム間のデータの差分等から動きを検出し、動きを検出した時刻近傍の所定のフレーム数のディジタル画像データとその撮影開始時刻及び終了時刻並びに後述の他の属性情報とを合わせて画像セットとする機能と、当該画像セットのディジタル画像データをディジタル圧縮画像データに変換し、当該画像セットのディジタル圧縮画像データと属性情報とを併せて蓄積画像セットとする機能とを有する。
【００１１】
無線ＩＤタグ３は、オフィスを出入りする社員や外注業者等を特定できる社員番号や氏名あるいは外注業者番号や氏名等の固有のＩＤ情報を記憶したタグである。
リーダライタ５はアンテナ４を介して前記無線ＩＤタグ３にＩＤ情報を書き込み、あるいは、該無線ＩＤタグ３に記憶されたＩＤ情報を読みとることができる。管理用パソコン６は、前記リーダライタ５が無線ＩＤタグ３から読み取ったＩＤ情報に該ＩＤ情報を受けた時刻の情報を付加して前記画像処理サーバ２に送出する。
画像蓄積サーバ８は前記画像処理サーバ２から蓄積画像セットを受けて、該蓄積画像セットをデータベースに蓄積する。
モニタ用パソコン９はユーザＩＤとパスワードによって前記画像蓄積サーバ８にアクセスして蓄積画像をモニタすることができる。
【００１２】
本システムの動作を、図１を参照しながら詳細に説明する。
無線ＩＤタグ３を装着したオフィス関係者が出入り口を通過すると、天井等に設置されたＣＣＤカメラ１によって撮影されたオフィス関係者の映像は、所定のフレームレート、例えば３０ＨｚでＮＴＳＣ信号に変換されて画像処理サーバ２に送られる。
前記画像処理サーバ２は、当該ＮＴＳＣ信号をフレーム間隔Δｔでディジタル画像データに変換する。
【００１３】
前記画像処理サーバ２では、ディジタル画像データのフレーム間の画像データの差分：｜Ａｎ−Ａｎ−１｜を逐次計算する。
人が通ったときに画像データは差分が大きくなるので、その差分が所定のしきい値Ａｔｈを超えた式（１）の条件を満たすときの画像撮影時刻を、動き検出時刻Ｔとする。
｜Ａｎ−Ａｎ−１｜＞Ａｔｈ                              （１）
そして、時刻（Ｔ−ａΔｔ）から時刻（Ｔ＋ｂΔｔ）までの画像を蓄積画像セットとし、撮影開始時刻Ｔｓ＝Ｔ−ａΔｔと撮影終了時刻Ｔｅ＝Ｔ＋ｂΔｔを前記蓄積画像セットの属性情報として付加する。ここで、ａとｂは、任意の正の整数であって、それぞれ任意の値に設定可能である。
また、時刻Ｔで動き検出したときには、次の動き検出は、時刻｛Ｔ＋（ａ＋ｂ＋１）Δｔ｝から行う。
【００１４】
図２は、ａ＝１、ｂ＝３の場合の、ディジタル画像データからディジタル画像セットを作り出す処理手順の説明図である。
同図に示すように、時刻ｔ０からｔ９までに撮影された画像データＡ０〜Ａ９は式（１）に基づいて動き検出が行われ、画像データの差分がしきい値を超える時刻ｔ３が動き検出時刻Ｔとして判別される。
そして、このＴ＝ｔ３の画像Ａ３とその前の画像Ａ２と後の画像Ａ４〜Ａ６とが１組の画像セットとなる。この画像セットには属性情報として撮影開始時刻：Ｔｓ＝ｔ２と撮影終了時刻：Ｔｅ＝ｔ６が付加される。
新たな動き検出はＡ８の画像から再開される。
【００１５】
一方、動き検出の対象となった無線ＩＤタグ３を装着したオフィス関係者が、アンテナ４間を通ると、前記無線ＩＤタグ３のＩＤ情報は前記アンテナ４を介してリーダライタ５に読み取られ、管理パソコン６に送られる。
前記管理パソコン６は、伝達されたＩＤ情報と、当該ＩＤ情報検出時刻Ｔｉｄとを合わせて画像処理サーバ２に送出する。該画像処理サーバ２は、管理パソコン６から受信したＩＤ情報とＩＤ情報検出時刻Ｔｉｄとを、対応する蓄積画像セットの属性情報として付加する。
動き検出時刻ＴとＩＤ情報検出時刻Ｔｉｄは、同時刻になるようにＣＣＤカメラ１とアンテナ４の設置位置を調整されており、ＩＤ情報は、当該ＩＤ情報検出時刻Ｔｉｄが、式（２）を満たす蓄積画像セットに対応付けられる。
Ｔｓ≦Ｔｉｄ≦Ｔｅ                                    （２）
式（２）を満たす蓄積画像セットがない場合は、式（３）を満たす画像セットが探しだして対応付ける。
｜Ｔｓ−Ｔｉｄ｜あるいは｜Ｔｉｄ−Ｔｅ｜が最小        （２）
これらのＩＤ情報とＴｉｄの画像セットとの対応付けは、画像セットを検出してから所定の時間内に行う。
【００１６】
また、無線ＩＤタグ３を装着した社員二人が並んでアンテナ４間を通ると、ほぼ同じ時刻に２種穎のＩＤ情報が検出されるが、式（２）あるいは式（３）の条件を満たしていれば、複数のＩＤ情報が一つの画像セットに対応付けられてよい。無線ＩＤタグ３を所持しない人がアンテナ４間を通る場合は、ＩＤ情報は検出されないので、画像セットの属性情報には、例えば、ＩＤ“情報なし”と記録される。
画像セットを検出してから所定の時間が経過したら、画像セットのディジタル画像データはディジタル圧縮画像データに変換され、前述の属性情報と合わせて蓄積画像セットとして、インターネット７を介して画像蓄積サーバ８ヘ伝送される。
前記画像蓄積サーバ８は、前記蓄積画像セットをデータベースに格納する。
【００１７】
図３は、画像処理サーバ２で連続的に蓄積画像セットを作りだす処理手順の説明図である。同図においては、ＩＤ情報が社員００１、社員００２、社員００３、社員００４、外注業者００１、外注業者００２のＩＤ情報が付与された無線ＩＤタグ３を所持するオフィス関係者と、無線ＩＤタグ３を所持しない（ＩＤ情報を持たない）人の画像を蓄積する様子を説明する。
【００１８】
いま、ＣＣＤカメラ及びアンテナが設置された出入り口を、時刻８：００：００頃にＩＤ情報：社員００１の無線ＩＤタグを持った人が通り、時刻８：００：０８頃に無線ＩＤタグ３を所持しない人が通り、時刻８：００：１４頃にＩＤ情報：社員００２の人が通り、時刻８：００：１９頃にＩＤ情報：社員００３の人が通り、時刻８：００：２４頃にＩＤ情報：外注業者００１の人が通り、時刻８：００：３０頃にＩＤ情報：社員００４の人が通り、時刻８：００：３８頃にＩＤ情報：外注業者００１の人とＩＤ情報：外注業者００２の人とがほぼ同時に通ったものとする。
【００１９】
ＣＣＤカメラ１で撮影された画像は、画像処理サーバ２でディジタル画像データ変換され、画像フレーム間の差分が計算される。式（２）に基づいて判定された動き検出時刻を、それぞれＴ１＝８：００：００、Ｔ２＝８：００：０８、Ｔ３＝８：００：１４、Ｔ４＝８：００：１９、Ｔ５＝８：００：２４、Ｔ６＝８：００：３０、Ｔ７＝８：００：３８とする。
ここで、図２と同様にａ＝１、ｂ＝３として、動き検出時刻Ｔ１、  Ｔ２、・・・・  Ｔ７における画像と、それぞれの画像の前１枚、後３枚、合計５枚の画像の組み合わせを１セットとして画像セットＣｎ（ｎ＝１，２，・・・７）が構成される。これらの画像セットにはそれぞれ、属性情報として撮影開始時刻と撮影終了時刻が付加される。上記のようにして、動きのない不要な画像が取り除かれる。
【００２０】
一方、オフィス関係者（社員、外注業者）が装着している無線ＩＤタグ３のＩＤ情報は、各々が出入り口を通過したときに、アンテナ４を介してリーダライタ５で検出され、該ＩＤ情報は、管理パソコン６においてＩＤ情報検出時刻とを合わせた情報Ｄｎ（ｎ＝１，２，・・・７）として、画像処理サーバ２に伝送される。
画像セットＣｎの撮影時刻と情報ＤｎのＩＤ情報検出時刻を照らし合わせて対応付けを行うと、Ｄ１はＣ１に、Ｄ２はＣ３に、Ｄ３はＣ４に、Ｄ４はＣ５に、Ｄ５はＣ６に、Ｄ６とＤ７はＣ７に、それぞれ対応する。
画像セットＣ２に写っている人物は無線ＩＤタグ３を持っていなかったので、Ｃ２には対応するＩＤ情報がなく、また、無線ＩＤタグ３を持った人が二人写っている画像セットＣ７には、Ｄ６とＤ７という２つのＩＤ情報が対応する。
画像セットＣｎの属性情報に対応するＤｎのＩＤ情報を付加したものを新たな属性情報とし、また、Ｃｎのディジタル画像データをディジタル画像圧縮処理したものを新たなディジタル画像データとし、両者を組み合わせた蓄積画像セットＦｎ（ｎ＝１，２，・・・７）が、画像蓄積サーバ８のデータベースに格納される。
【００２１】
監視者が、蓄積画像セットをモニタする場合、監視者はモニタ用パソコン９をインターネットに接続し、予め登録したユーザＩＤとパスワードによって、前記画像蓄積サーバ８にアクセスする。そして、検索条件として時刻とＩＤ情報を指定することによって該当する蓄積画像セットを前記モニタ用パソコン９上で閲覧することができる。
【００２２】
閲覧者が蓄積画像セットの検索条件の時刻指定として、「開始時刻」と「終了時刻」を指定すると、指定した時刻範囲に該当する蓄積画像セットを閲覧できる。次の、ＩＤ情報の指定として、「社員」、「外注業者」、「ＩＤ情報なし」等があり、「社員」を指定すると、例えば、ＩＤ情報：社員００１〜社員９９９の蓄積画像セットを閲覧でき、また、「外注業者」を指定すると同様にＩＤ情報：外注業者００１〜外注業者９９９の蓄積画像セットを閲覧でき、さらに、「ＩＤ情報なし」を指定すると、動き検出したがＩＤ情報のない蓄積画像セットを閲覧することができる。
なお、時刻指定として、直近に撮影された蓄積画像セットを閲覧する指定や、直近に撮影された蓄積画像セットを閲覧した後、新しい蓄積画像セットが追加されると直ちにそれを閲覧する指定の方法を取ることも可能である。
【００２３】
図４は、画像蓄積サーバ８のデータベースに格納された蓄積画像セットを閲覧する動作の説明図である。
同図に示されるように、検索条件（１）として、開始時刻８：００：００と終了時刻８：０１：００とＩＤ情報：「社員」を指定すると、蓄積画像セットＦ３、Ｆ４、Ｆ６の画像セットを閲覧することができる。
また、検索条件として、開始時刻８：００：００と終了時刻８：０１：００とＩＤ情報：「ＩＤ情報なし」を指定すると、蓄積画像セットＦ２の画像セットを閲覧することができる。
さらに、検索条件として、開始時刻８：００：００と終了時刻８：０１：００とＩＤ情報：「外注業者」を指定すると、蓄積画像セットＦ７の画像セットを閲覧することができる。
【００２４】
本システムの応用例として、例えば、オフィス内で犯罪が発生し、社外の人間の犯行であることが判明したとき、監視者は、先ず無線ＩＤタグ３を持たない人の蓄積画像セットを検索する。
図３で、検索条件の時刻指定として、開始時刻８：００：００と終了時刻８：０１：００（以下、８：００：００〜８：０１：００と記す）、ＩＤ情報指定として「ＩＤ情報なし」を設定し、社外の人物が写っている画像だけを閲覧する。本例では、蓄積画像セットＦ２だけが該当するので、Ｆ２をチェックする。
次に、検索条件として、時刻指定：８：００：００〜８：０１：００、ＩＤ情報指定：外注業者、を設定し、一つの画像セットに複数の人が写っている場合でも、少なくとも一人は外注業者が写っている画像を順に閲覧する。
本例では、蓄積画像セットＦ４、Ｆ７が該当する。Ｆ７には二人写っているが、ＩＤ情報も２つ検出されているのでいずれも外注業者であることがわかる。
最後に、図中の検索条件１で、時刻指定：８：００：００〜８：０１：００、ＩＤ情報：社員、を設定し、少なくとも一人は社員が写っている画像を順に閲覧する。本例では、蓄積画像セットＡ３、Ａ４、Ａ６が該当する。いずれも、社員が一人ずつしか写っておらず、社外の犯人は写っていないことがわかる。
本システムにおいて時刻指定とＩＤ情報指定をもとに、上記のように検索条件を設定すれば、効率よく、短時間に所望のカメラ映像を検索することができる。
【００２５】
図５は、本発明に係わるモニタリングシステムの実施の他の形態例の構成を示す模式図である。
同図に示すように、本モニタリングシステムは、幼稚園等の所定の場所撮影するモニタカメラ１と、画像処理サーバ２と、幼稚園園児が所持するバッジ状の無線ＩＤタグ３と、前記幼稚園等の所定の場所の周囲に設置されたアンテナ４と、リーダライタ５と、管理用パソコン６と、インターネット７と、画像蓄積サーバ８と、モニタ用パソコン９とで構成される。
上記の各構成部位の機能及び動作は、図１に示された形態例を構成する同一符号の構成部位と全く同一であるので、上記構成部位の細部の説明は省略する。
そして、本図に基づいて、幼稚園等において所定の場所、例えば園内の椅子に自由に座る園児の姿を、園児の父兄が家庭のモニタ用パソコンでモニタするときのシステムの動作説明する。
【００２６】
同図に示すように、幼稚園の園庭の一角に、園児２、３人が座れる椅子を設置し、その椅子に座った園児を撮影できるところにモニタカメラ（以下、ＣＣＤカメラという）１を設置する。該ＣＣＤカメラ１は、椅子に座った園児の姿のみが写るよう限られた狭い領域を撮影範囲とするように設置し、その領域の両端にアンテナ４を設置する。
園児には、固有のＩＤ情報が書きこまれた、例えばバッジ状の無線ＩＤタグ３が予め配布されており、それを衣服に装着している。
前記ＣＣＤカメラ１は、画像処理サーバ２に接続され、該画像処理サーバ２はインターネット７に接続されている。
アンテナ４は、前記無線ＩＤタグ３のＩＤ情報を受信し、該ＩＤ情報はリーダライタ５を介して管理パソコン６に伝送される。前記管理パソコン６は前記画像処理サーバ２に接続されている。
画像蓄積サーバ８は、インターネット７に接続され、該インターネット７を介して前記画像処理サーバ２から伝送される画像をデータベースに格納する。
父兄は、インターネット７に接続できるモニタ用パソコン９で前記画像蓄積サーバ８の画像をモニタできる。
【００２７】
本実施例で、園児のディジタル画像データから画像セットを作り出す手順、連続的に画像セットを作り出す手順及び画像蓄積サーバのデータベースに蓄積画像セットを格納する手順は、図２及び図３の場合と全く同じであるので説明は省略する。
【００２８】
父兄が、家庭において蓄積画像セットをモニタする手順は次の通りである。
父兄は、モニタ用パソコン９をインターネット７に接続し、予め登録したユーザＩＤとパスワードによって、前記画像蓄積サーバ８にアクセスする。そして、検索条件として時刻（撮影開始時刻と終了時刻）を指定すると、該指定時刻内であって、当該父兄のユーザＩＤに対応したＩＤ情報を属性情報としてもつ蓄積画像セットを、自宅のモニタ用パソコン９で閲覧することができる。
なお、時刻指定として、直近に撮影された蓄積画像セットを閲覧する指定や、直近に撮影された蓄積画像セットを閲覧した後、新しい蓄積画像セットが追加されると直ちにそれを閲覧する指定の方法を取ることも可能である。
【００２９】
そして、例えば、ＩＤ情報：園児００１の無線ＩＤタグを持った園児の父兄には、予め幼稚園からユーザＩＤ：園児００１を与えられ、該ユーザＩＤで父兄が画像蓄積サーバ８にアクセスし、検索条件の時刻を指定すると、データベースに格納された蓄積画像セットの中から、ＩＤ情報：園児００１の画像セットのみを順に見ることができる。
指定された時刻範囲内で園児の最新の映像をモニタできるようにするには、指定された時刻範囲内で最新の画像セットを表示するようにすればよい。
また、常に最新の画像をモニタできるようにするには、各ＩＤユーザＩＤに対する直近の画像を表示し、新しい画像セットが蓄積されたときにこれを切り替えて表示すればよい。
本実施例のように、時刻とユーザＩＤに対応するＩＤ情報を元にして画像検索を行えば、当該のＩＤ情報をもつ、即ち当該父兄の園児の映像のみをスムーズに閲覧することができる。
【００３０】
【発明の効果】
以上説明したように、本発明では、監視カメラにおいては、映像対象者に固有の無線ＩＤタグを装着させて、その無線ＩＤタグからのＩＤ情報と、画像上で動き検出して切出した画像セットとを対応付けることによって、画像蓄積サーバでは、蓄積画像セットを時刻だけではなくＩＤ情報でも管理できるようにした。
これによって、従来、監視カメラの画像では、時間以外の属性情報がないために、画像にどんな被写体が写っていたかを調べるには、膨大な時間を要していたものを、時刻とＩＤ情報を検索キーとして用いることにより、監視者は見つけ出したい画像を効率的に素早く探し出すことができるようになった。
【００３１】
また、本システムを幼稚園等におけるモニタサービスに用いれば、従来、自分の子供の映像が写っている画像を必ず見られるわけではなく、また、写っていても、はっきり認識できないことがあったものを、自分の子供が写っている画像だけを容易に、かつ明瞭に見ることができるようになった。
さらに、インターネットにアクセスするためのユーザＩＤと画像検索のためのＩＤ情報指定を連携させておくことにより、自分の子供が写っていない画像は閲覧できなくなるため、プラバシー保護を持たせることも可能となった。また、撮影場所を狭い領域に限定したことによって、先生も常時見られているということによるストレスから解放される効果もある。
このように本システムは、画像検索が容易な優れたモニタリングシステムを提供する上で著効を有している。
【図面の簡単な説明】
【図１】本発明に係わるモニタリングシステムの実施の一形態例の構成を示す模式図。
【図２】ディジタル画像データからディジタル画像セットを作り出す処理手順の説明図。
【図３】画像処理サーバ２で連続的に蓄積画像セットを作りだす処理手順の説明図
【図４】画像蓄積サーバ８のデータベースに格納された蓄積画像セットを閲覧する動作の説明図。
【図５】本発明に係わるモニタリングシステムの実施の他の形態例の構成を示す模式図。
【符号の説明】
１・・モニタカメラ（ＣＣＤカメラ）、            ２・・画像処理サーバ、
３・・無線ＩＤタグ、        ４・・アンテナ、        ５・・リーダライタ、
６・・管理用パソコン、７・・インターネット、８・・画像蓄積サーバ、
９・・モニタ用パソコン
【図１】
2005051302.tif 000003
【図２】
2005051302.tif 000004
【図３】
2005051302.tif 000005
【図４】
2005051302.tif 000006
【図５】
2005051302.tif 000007